(57)【要約】【課題】より効率よく消費電力を低減することのできる画像形成装置を提供する。【解決手段】スリープ状態に移行した後は、画像形成要求があっても、用紙切れ状態であれば、スリープ状態が維持される（ステップＳ２０５でＹｅｓ→Ｓ２０６でＮｏ）。一方、画像形成要求があったときに用紙が残っていれば、画像形成にかかる部材への電力供給を再開する（ステップＳ２０６でＹｅｓ→Ｓ２０７）【選択図】図４
2009300606.tif 000002
【特許請求の範囲】
【請求項１】
記録媒体上に画像を形成する画像形成部と、
上記記録媒体を収容する収容部と、
上記画像形成部がスリープ状態にある場合、画像形成要求があったときに、上記収容部内に上記記録媒体が存在しなければ上記画像形成部をスリープ状態で維持し、上記収容部内に上記記録媒体が存在すれば上記画像形成部をスリープ状態から待機状態へ移行させる制御部と、
を備える画像形成装置。
【請求項２】
上記制御部は、上記収容部内に記録媒体の有無によらず、上記画像形成部を待機状態からスリープ状態へ移行させることができる、
請求項１に記載の画像形成装置。
【請求項３】
待機状態からスリープ状態への移行指示を受け付けるスリープ指示受付部をさらに備え、
上記制御部は、上記スリープ指示受付部が上記依頼を受けると、上記画像形成部を待機状態からスリープ状態へ移行させることができる、
請求項１又は２に記載の画像形成装置。
【請求項４】
上記制御部は、画像形成要求が無い状態が所定時間継続すると、上記画像形成部を待機状態からスリープ状態へ移行させることができる、
請求項１〜３のいずれか１項に記載の画像形成装置。
【請求項５】
上記画像形成部が待機状態からスリープ状態へ移行するときの、上記収容部内の記録媒体の残量を記憶する残量記憶部をさらに備え、
上記制御部は、上記残量記憶部の記憶内容が、上記収容部内に記録媒体が存在することを示すものであれば、上記収容部内に記録媒体が存在するものみなすようになっている、
請求項１〜４のいずれか１項に記載の画像形成装置。
【請求項６】
上記収容部への記録媒体の供給の有無を上記制御部に伝える供給検出部をさらに備え、
上記制御部は、上記供給検出部が記録媒体の供給があったことを検知すると、上記収容部内に記録媒体が存在するものとみなすようになっている、
請求項１〜５のいずれか１項に記載の画像形成装置。
【請求項７】
上記収容部は、外部からの記録媒体の供給が可能な第１姿勢と、不可能な第２姿勢と、を取ることができるようになっており、
上記供給検出部は、上記収容部が、上記第１姿勢を取ったことを、記録媒体の供給として検知するようになっている、
請求項６に記載の画像形成装置。
【請求項８】
上記画像形成部がスリープ状態にあり、画像形成要求があった場合、上記画像形成部の待機状態への移行が行われないときは、画像形成が行なわれないことをユーザに報知する報知部を、さらに備える、
請求項１〜７のいずれか１項に記載の画像形成装置。
【発明の詳細な説明】
【技術分野】
【０００１】
本発明は、用紙等の記録媒体上に画像を形成する画像形成装置に関する。
【背景技術】
【０００２】
従来、画像形成装置において、一定時間、ユーザから画像形成要求がなされないと、一部の機構への電力供給を停止するスリープモードを有する装置が提案されている。
【０００３】
例えば、特許文献１には、画像処理装置から印刷データを受信すると、スリープ状態から復帰して、画像形成の要求に応答するようになっている画像形成措置が記載されている。
【特許文献１】特開２００５−１１９２０３号公報（段落［００２４］等）
【発明の開示】
【発明が解決しようとする課題】
【０００４】
従来の技術によると、画像形成要求があれば、何らかの理由によって画像形成動作が行えない場合であっても、スリープ状態から復帰する。この場合、例え復帰しても画像形成動作は行えないのであるから、復帰に無駄な電力を消費しており、消費電力量をより効率よく低減することのできる新たな技術が求められている。
【０００５】
そこで、本発明は、画像形成装置において、消費電力量をより効率よく低減することのできる技術を提供することを目的とする。
【課題を解決するための手段】
【０００６】
上記課題を解決するために、請求項１の画像形成装置は、記録媒体上に画像を形成する画像形成部と、上記記録媒体を収容する収容部と、上記画像形成部がスリープ状態にある場合、画像形成要求があったときに、上記収容部内に上記記録媒体が存在しなければ上記画像形成部をスリープ状態で維持し、上記収容部内に上記記録媒体が存在すれば上記画像形成部をスリープ状態から待機状態へ移行させる制御部と、を備える。
【０００７】
この画像形成装置によると、画像形成要求があっても、記録媒体が存在しなければ、スリープ状態から待機状態への移行は起きない。仮に、画像形成部がスリープ状態から待機状態へ復帰しても、記録媒体が存在しなければ画像形成部は画像形成を実行できないのであるから、この画像形成装置によれば、無駄な電力供給を避けることができ、電力消費量をより効率よく低減することができる。
【０００８】
請求項２に記載するように、請求項１の画像形成装置において、上記制御部は、上記収容部内に記録媒体の有無によらず、上記画像形成部を待機状態からスリープ状態へ移行可能であってもよい。
【０００９】
請求項３に記載するように、請求項１又は２の画像形成装置は、待機状態からスリープ状態への移行指示を受け付けるスリープ指示受付部をさらに備え、上記制御部は、上記スリープ指示受付部が上記依頼を受けると、上記画像形成部を待機状態からスリープ状態へ移行させることができるようになっていてもよい。
【００１０】
請求項４に記載するように、請求項１〜３のいずれか１項の画像形成装置において、上記制御部は、画像形成要求が無い状態が所定時間継続すると、上記画像形成部を待機状態からスリープ状態へ移行させることができるようになっていてもよい。
【００１１】
請求項５に記載するように、請求項１〜４のいずれか１項の画像形成装置は、上記画像形成部が待機状態からスリープ状態へ移行するときの、上記収容部内の記録媒体の残量を記憶する残量記憶部をさらに備え、上記制御部は、上記残量記憶部の記憶内容が、上記収容部内に記録媒体が存在することを示すものであれば、上記収容部内に記録媒体が存在するものみなすようになっていてもよい。
【００１２】
請求項６に記載するように、請求項１〜５のいずれか１項の画像形成装置は、上記収容部への記録媒体の供給の有無を上記制御部に伝える供給検出部をさらに備え、上記制御部は、上記供給検出部が記録媒体の供給があったことを検知すると、上記収容部内に記録媒体が存在するものとみなすようになっていてもよい。
【００１３】
請求項７に記載するように、請求項６に記載の画像形成装置において、上記収容部は、外部からの記録媒体の供給が可能な第１姿勢と、不可能な第２姿勢と、を取ることができるようになっており、上記供給検出部は、上記収容部が、上記第１姿勢を取ったことを、記録媒体の供給として検知するようになっていてもよい。
【００１４】
請求項８に記載するように、請求項１〜７のいずれか１項の画像形成装置は、上記画像形成部がスリープ状態にあり、画像形成要求があった場合、上記画像形成部の待機状態への移行が行われないときは、画像形成が行なわれないことをユーザに報知する報知部を、さらに備えてもよい。
【発明の効果】
【００１５】
本発明の画像形成装置によれば、無駄な電力供給を避けることができ、電力消費量をより効率よく低減することができる。
【発明を実施するための最良の形態】
【００１６】
〔１〕第１実施形態
本発明の実施の一形態にかかる画像形成装置１について、以下、図面を参照して説明する。
【００１７】
（1-1）画像形成装置１の概要
図１は画像形成装置１の概要を示す正面図である。
【００１８】
図１に示すように、画像形成装置１は、本体２及び原稿搬送装置３を備える。
【００１９】
原稿搬送装置３は、原稿載置トレイと、原稿排出トレイと、原稿載置トレイから原稿排出トレイまで原稿を搬送する原稿搬送部と、を備える。原稿搬送部は、複数のローラ対を備える。
【００２０】
本体２は、ハウジング２０を備えると共に、用紙（記録媒体）上に画像を形成する画像形成部２１、用紙を収容する用紙カセット（記録媒体収容部）２２、用紙が載置される手差しトレイ２３、画像形成後の用紙が排出される排紙トレイ２４、用紙カセット２２又は手差しトレイ２３から画像形成部２１を通って排紙トレイ２４まで用紙を搬送する用紙搬送部２５を備える。また、本体２は、カセット開閉センサ２６、及び用紙センサ２７等をさらに備える。
【００２１】
ハウジング２０は、形状が略直方体であり、上面にコンタクトガラスを備える。コンタクトガラス上には、原稿が載置される。
【００２２】
画像形成部２１は、ハウジング２０内に設けられ、用紙の進行方向に沿って、現像ユニット２１ａ及び定着部２１ｂを備える。
【００２３】
現像ユニット２１ａは、回転可能な感光体ドラムを備えると共に、感光体ドラムの回転方向に沿って、帯電器、露光器、現像器、転写器、クリーニング器、除電器等を備える。帯電器は感光体ドラムを一様に帯電させる。露光器は帯電した感光体ドラムに光を照射することで画像データに沿った静電潜像を描き、現像器は静電潜像を現像剤により現像する。転写器は、感光体ドラム上で現像された画像を、用紙搬送部２５によって搬送されてきた用紙に転写する。クリーニング器は、転写後も感光体ドラムに残る現像剤を除去する。除電器は感光体ドラムを除電することで静電潜像を消去する。
【００２４】
定着部２１ｂは、ヒートローラと、ヒートローラに対向する圧着ローラとを備える。転写後の用紙は、用紙搬送部２５によって定着部２１ｂに送り込まれ、ヒートローラと圧着ローラとの間で熱及び圧力をかけられる。こうして、現像剤からなる画像が用紙上に定着される。
【００２５】
用紙カセット２２は、本体２のハウジングに対して開閉可能、つまり引き出し／押入れ可能に設けられる。引き出された状態は、用紙供給が可能な第１姿勢であり、押入れられた状態は、用紙供給が不可能な第２姿勢であるといえる。用紙カセット２２内には、用紙を用紙束から１枚ずつ引き出すピックアップローラ、用紙カセット２２の底に設けられるリフト板、リフト板を上下させることで用紙束をピックアップローラに押し当てるリフト板駆動機構等を備える。
【００２６】
手差しトレイ２３及び排紙トレイ２４は、ハウジング２０の側面に設けられる。
【００２７】
用紙搬送部２５は、複数のローラ対、搬送ベルト、ローラ対を回転駆動するモータやギア等を備える。
【００２８】
開閉センサ２６は、用紙カセット２２の開閉を検知する。開閉センサ２６としては、例えば接触型のセンサを用いることができる。
【００２９】
用紙センサ２７は、用紙搬送部２５による搬送経路上に設けられ、用紙の通過を検知する。用紙センサ２７としては、接触型のセンサを用いることもできるし、光学センサ等の非接触型のセンサを用いることもできる。
【００３０】
また、本体２は、ハウジング２０内に設けられた画像読取装置４をさらに備える。画像読取装置４は、光源、ＣＣＤ、並びにレンズ及びミラー等の光学部材等を備え、コンタクトガラス下側から、載置された原稿や、原稿搬送装置３によって搬送中の原稿上の画像を読み取る。
【００３１】
なお、画像形成装置１は、通信ネットワークを介して、外部のＰＣ（Personal Computer）やファクシミリ装置等と通信可能な通信部（図示せず）を備える。
【００３２】
（1-2）画像形成装置１の電力供給制御
図２〜図４を参照して、画像形成装置１における電力供給制御について説明する。図２は画像形成装置１の電力供給経路の一部を示す図面であり、図３は画像形成装置１におけるスリープ移行動作のフローチャートであり、図４は画像形成装置１におけるスリープからの復帰動作のフローチャートである。なお、以下、「電力」とは、「電圧」又は「電流」と読み替えてもよい。
【００３３】
（ａ）電力供給経路
図２に示すように、画像形成装置１は、上述の構成に加えて、主電源５０、第１電源５１、第２電源５２、第３電源５３、第４電源５４、ファクシミリ受信部６、操作パネル７、コントローラ８、ジョブ受付部９等を備える。また、図２中、画像形成部２１、用紙搬送部２５、原稿搬送装置３、画像読取装置４等、画像読取及び画像形成を実行する構成については、総括して“エンジン部”とし、符号“２８”を付して示す。
【００３４】
ファクシミリ受信部６は、外部ファクシミリからの画像データを受け取って、記憶装置に記憶したり、印刷用に画像形成部２１に送ったり、といった処理を行う。
【００３５】
主電源５０は、画像形成装置１全体へ電力を供給する。第１電源５１は、用紙センサ２７及びエンジン部２８等、画像読取や画像形成ジョブ実行中に動作すべき構成に電力を供給する。第２電源５２は、ファクシミリ受信部６に電力を供給する。第３電源５３は、操作パネル７の一部である表示パネル７１に電力を供給する。第４電源５４は、操作パネル７の一部である操作受付部７２、カセット開閉センサ２６、コントローラ８、ジョブ受付部９等に電力を供給する。なお、図示しない通信部も、第４電源５４に接続される。
【００３６】
操作パネル７は、表示パネル７１、操作受付部７２を備える。表示パネル７１としては、液晶表示パネル等、公知の表示装置を好適に用いることができる。操作受付部７２は、ハードキーとして、電源ボタン７２１、スリープボタン（スリープ指示受付部）７２２を備えると共に、これらの他にも、テンキー、スタートキー、キャンセルキー、機能選択キー等を備える。また、操作受付部７２はタッチセンサ７２３等を備え、タッチセンサ７２３は、表示パネル７１と共にタッチパネルを構成する。表示パネル７１は、ユーザに種々の画面を表示することができる。操作受付部７２は、ユーザから、ジョブ実行や、画像形成装置１の動作の条件設定等の指示を受け付けることができる。特に、電源ボタン７２１は、主電源５０のオン／オフを受け付ける。また、スリープボタン７２２は、後述するように、第１〜第３電源（５１〜５３）をオフするようにとの指示を受け付ける。第１〜第３電源（５１〜５３）がオフとなると、これらの電源に接続された部材は休止状態、つまりスリープ状態となる。
【００３７】
コントローラ８は、電源制御部（制御部）８１、エンジン制御部８２、タイマ８３、報知部８４等を備える。電源制御部８１は、第１〜第３電源（５１〜５３）のオン／オフを切り替えることで、各電源に接続された部材への電力供給を制御することができる。エンジン制御部８２は、エンジン部２８の動作を制御することで、画像形成、画像読取等の各種ジョブを実行させる。タイマ８３は、画像形成等のジョブ終了後、スリープ状態に移行するまでの時間をカウントする。報知部８４は、表示パネル７１や図示しない通信装置を用いて、ユーザに情報を用紙切れメッセージを提示することができる。
【００３８】
ジョブ受付部９は、操作受付部７２がユーザから受け付けた指示内容、又は外部装置（ファクシミリ装置やＰＣ等）から、通信ネットワークを介して送信されてきた指示内容から、ジョブの依頼、及び依頼されているジョブの種類等を認識し、コントローラ８に通知する。つまり、ジョブ受付部９は、画像形成要求を受け付け、画像形成要求とは、複写、プリントアウト、ファクシミリ印刷等の要求を含む。
【００３９】
コントローラ８及びジョブ受付部９の機能は、ソフトウェアによって、つまり、ＣＰＵ（Central Processing Unit）がプログラムを実行することによって実現されてもよい。この場合、ＣＰＵの他に、プログラムを格納するＲＯＭ（Read Only Memory）、ＣＰＵの作業領域として機能するＲＡＭ（Random Access Memory）、その他の記憶装置が設けられる。また、これらの機能の一部又は全部は、ソフトウェアではなくハードウェアによって実現されてもよい。
【００４０】
（ｂ）スリープ移行
図３に示すように、画像形成要求に応じて、エンジン制御部８２の制御により、画像形成部２１による画像形成が行われる（ステップＳ１０１）。
【００４１】
画像形成実行中に用紙切れが起きると（ステップＳ１０２でＹｅｓ）、エンジン制御部８２は画像形成部２１による画像形成動作を中断する（ステップＳ１０３）。用紙切れが起きると、電源制御部８１は、用紙切れフラグをオンにする（ステップＳ１０４）。
【００４２】
なお、用紙切れの発生は、用紙搬送部２５が正常に稼動しているのに用紙センサ２７による用紙の検出がなされないことによって、検知される。用紙搬送部２５は、エンジン制御部８２の制御の下、要求される用紙に対応する用紙カセット２２又は手差しトレイ２３から用紙を搬送するように動作するので、例えば、Ａ４の用紙が要求されている場合、仮にＡ５の用紙に対応するカセット２２内には用紙が存在していても、Ａ４の用紙に対応するカセット２２内に用紙が存在しなければ、“用紙切れ”が検出される。
【００４３】
用紙切れにより画像形成動作が中断されている間に、スリープボタン７２２が押下されると、電源制御部８１が第１〜第３電源（５１〜５３）をオフすることで、画像形成装置１（具体的には第１〜第３電源に接続された部材）はスリープ状態に移行する（ステップＳ１０５でＹｅｓ→Ｓ１０６）。
【００４４】
スリープボタン７２２が押下されず、用紙供給がなされた場合には、用紙切れフラグがオフとされ、エンジン制御部８２により画像形成動作が再開される（ステップＳ１０７でＹｅｓ→Ｓ１０８→Ｓ１０１）。
【００４５】
一方、用紙切れを起こすことなく画像形成が完了すると、タイマ８３によるカウントがスタートされる（ステップＳ１０９でＹｅｓ→Ｓ１１０）。画像形成要求がないままにタイマ８３がカウントアップとなるか、またはスリープボタン７２２が押下されると、タイマ８３のカウントはクリアされ、電源制御部８１によって画像形成装置１はスリープ状態に移行する（ステップＳ１１１又はＳ１１２でＹｅｓ→Ｓ１１３→Ｓ１０６）。つまり、エンジン部２８が休止状態となる。また、カウントアップ又はスリープボタン７２２の押下の前に画像形成要求があれば、要求に応じて画像形成動作が行われる（ステップＳ１１１及びＳ１１２でＮｏ→Ｓ１１４でＹｅｓ→Ｓ１０１）。
【００４６】
（ｃ）スリープからの復帰
図４に示すように、画像形成装置１がスリープ状態にあるときに、操作パネル７が、タッチパネルへの接触等、ユーザによる何らかの操作がなされたことを検知すると、電源制御部８１が第３電源５３をオンにする（ステップＳ２０１でＹｅｓ→Ｓ２０２）。第３電源５３がオンとなることで、表示パネル７１が点灯し、画像形成装置１は、ユーザに各種画面を表示すると共に、画像形成の条件設定をユーザから受付可能となる。
【００４７】
また、外部装置からファクシミリが送信されてくると、ジョブ受付部９がその旨をコントローラ８に通報し、電源制御部８１が第２電源をオンにすることで、ファクシミリ受信部６を稼動可能する（ステップＳ２０３でＹｅｓ→Ｓ２０４）。
【００４８】
コントローラ８は、ユーザからの指示に応じて、受信したファクシミリをどのように処理するかを、予め設定し、記憶装置に記憶しておくことができる。例えば、受信ファクシミリについて、印刷は行わず、受信した情報のみを記憶しておくように設定がなされていれば、第１電源５１はオフのまま維持される（ステップＳ２０５でＮｏ）。
【００４９】
受信したファクシミリを自動的に印刷するように設定がなされている場合において、ファクシミリを受信したとき、又は、ＰＣ等の外部装置から、若しくは操作パネル７を介して画像形成要求を受けた場合には、以下のように処理が行われる。
【００５０】
すなわち、まず、ジョブ受付部９がコントローラ８へ画像形成要求を受けたことを通知する。そして、用紙切れフラグがオフであれば（ステップＳ２０５及びＳ２０６でＹｅｓ）、電源制御部８１により第１電源５１がオンとされる（Ｓ２０７）。つまり、画像形成装置１は、スリープ状態から、画像形成が可能な待機状態へと復帰する。その後、エンジン制御部８２の制御の下、画像形成が実行される。
【００５１】
一方、画像形成要求があっても、用紙切れフラグがオンになっていれば（ステップＳ２０６でＮｏ）、第１電源５１はオンにされず、報知部８４が用紙切れ報知を行なう（ステップＳ２０８）。用紙切れ報知とは、用紙切れであるから画像形成ができない旨のメッセージを、表示パネル７１によって、又は外部装置を介して、ユーザに提示することである。
【００５２】
表示パネル７１による報知を行なう場合は、報知に先立って電源制御部８１が第３電源５３をオンにする。
【００５３】
ファクシミリ又はＰＣ等、外部装置から画像形成要求を受けている場合において、報知を行なうときは、依頼元である装置へ用紙切れ報知がなされる。例えば、ファクシミリを受信しているのであれば、報知部８４は、発信元のファクシミリ装置に対して、図示しない通信装置によって、エラーメッセージを送信する。このメッセージは、発信元のファクシミリ装置において、表示部に表示されるか、又は用紙に印刷されればよい。また、ＰＣからのプリントアウト要求がなされているのであれば、報知部８４は、図示しない通信装置を用いて、依頼元のＰＣへエラーメッセージを送信する。メッセージは、ポップアップによってＰＣのディスプレイ上に表示されてもよいし、報知部８４によって電子メールとして送信されるようになっていてもよい。
【００５４】
カセット開閉センサ２６により用紙カセット２２の開閉が検知されると、用紙供給がなされたものと判断されるので、用紙切れフラグはオフとされ、電源制御部８１は、第１電源５１をオンにする（ステップＳ２０９でＹｅｓ→Ｓ２１０→Ｓ２０７）。
【００５５】
カセット開閉センサ２６が用紙カセット２２の開閉を検知しなければ、用紙供給は成されなかったものとして、第１電源５１はオフのまま維持される（ステップＳ２０９でＮｏ）。
【００５６】
以上に説明したように、画像形成装置１は、用紙切れ中にもスリープ状態に移行することができるので、消費電力をより低減することができる。また、スリープ中に画像形成要求があっても、用紙が無ければ復帰しないので、さらに消費電力を低減することができる。
【００５７】
〔２〕その他の実施形態
第１実施形態の画像形成装置１の構成を、以下のように変更してもよい。
【００５８】
（ａ）第１実施形態に示す第１〜第４電源（５１〜５３）は、各部への電力供給のオン／オフを適宜切り替えるための構成の一例に過ぎず、これ以外の構成を適宜採用可能である。例えば、画像形成装置１の構成を以下のように変更することができる。
【００５９】
すなわち、第１電源５１の下流に、さらに第５の電源が設けられてもよい。この場合、第５電源は、定着部２１ｂのヒートローラに接続され、エンジン部２８の他の部材には、第５電源を介さずに、第１電源５１から直接電力が供給される。電源制御部８１は、スリープの他に、「節電」モードを備える。節電モードにおいては、電源制御部８１は、第５電源による電力供給を制御することで、電力供給を遮断することなく、ヒートローラの温度が低下させることができる。
【００６０】
また、電源制御部８１が、この節電モードを、スリープモードに代えて実行するようになっていてもよい。つまり、第１実施形態における第１電源５１を、第５電源と読み替えて適用することができる。
【００６１】
（ｂ）第１実施形態では、スリープ中には、エンジン部２８全体の電力供給が停止されるものとした。ただし、これに限らず、スリープ中にエンジン部２８の一部の電力供給のみが停止されるようになっていてもよい。つまり、第１電源５１は、エンジン部２８の全部ではなく一部、少なくとも画像形成部２１のみに電力を供給するようになっていればよい。エンジン部２８のうち、消費電力が特に多いのは、画像形成部２１のうち、定着部２１ｂのヒートローラである。そこで、第１電源５１がヒートローラへ電力を供給するようになっていれば、スリープ時は第１電源５１がオフとされることで、ヒートローラへの電力供給が断たれるので、消費電力の低減という目的は達せられる。
【００６２】
（ｃ）第１実施形態では、電源制御部８１は、用紙切れが起きたときは、スリープボタン７２２の押下によって、スリープ状態への移行を行うようになっており、タイマ８３のカウントアップによってはスリープ状態への移行は行わない。ただし、これに限らず、電源制御部８１は、用紙切れ又は画像形成完了のいずれの場合にも、画像形成動作の停止後、タイマ８３のカウントアップにより、画像形成装置１をスリープ状態に移行させるようになっていてもよい。
【００６３】
（ｄ）図４では、電源制御部８１が、ユーザが操作パネル７に触れたときには、第３電源５３のみをオンとするようになっているものとしたが、これに限らず、電源制御部８１は、ユーザが操作パネル７に触れただけで、ステップＳ２０６以降の処理を行うようになっていてもよい。すなわち、電源制御部８１は、用紙切れでなければ、ユーザから画像形成指示を未だ受け付けていない状態であっても、第３電源５３のみでなく、第１電源５１もオンとすることができるようになっていてもよい。用紙切れであれば、ステップＳ２０８及びＳ２０９に示すように、第１電源５１はオフのまま維持される。電源制御部８１がこのように構成されていれば、ユーザから画像形成指示があった場合に、画像形成部２１等による印刷が迅速に行われる。
【００６４】
（ｅ）図３及び図４では、用紙切れフラグのオン／オフによって、用紙切れか否かが判断された。これは、記録媒体の残量を記憶する機構の一例である。この他にも、用紙がまだ残っている場合にも、スリープ状態に移行する前に、コントローラ８内の記憶装置に、用紙数が記憶されるようになっていてもよい。用紙の枚数は、口述するように、カウンタ等によって把握される。
【００６５】
（ｆ）記録媒体の一例として、第１実施形態では用紙を挙げたが、他にも、フィルム等、他の媒体を用いることができる。
【００６６】
（ｇ）記録媒体の有無を検出する手段としては、用紙センサ２７以外にも、用紙カセット２２内に設けられたセンサ、印刷枚数をカウントするカウンタ等を用いることができる。カウンタは、ＣＰＵとソフトウェア等によって構成可能である。
【００６７】
以上、異なる欄に記載した構成を適宜組み合わせて得られる形態についても、本発明の技術的範囲に含まれる。
【図面の簡単な説明】
【００６８】
【図１】本発明の実施の一形態に係る画像形成装置１の要部構成を示す正面図。
【図２】画像形成装置１の電力供給経路を示す図面。
【図３】画像形成装置１におけるスリープ移行時の動作を示すフローチャート。
【図４】画像形成装置１におけるスリープからの復帰時の動作を示すフローチャート。
【符号の説明】
【００６９】
１      画像形成装置
２      本体
３      原稿搬送装置
４      画像読取装置
２１    画像形成部
２１ａ  現像ユニット
２１ｂ  定着部
２５    用紙搬送部
２６    カセット開閉センサ
２７    用紙センサ
５０    主電源
５１〜５４  第１〜第４電源
８      コントローラ
【図１】
2009300606.tif 000003
【図２】
2009300606.tif 000004
【図３】
2009300606.tif 000005
【図４】
2009300606.tif 000006